(57)【要約】【課題】通常モードではタッチ式キー入力誤検知を防止すると共に、特定条件が成立した場合に限りサービスモードを動作可能とする洗濯機を提供する。【解決手段】洗濯槽を収容する筐体に操作パネルを備えた洗濯機において、操作パネルは、複数のタッチ式キーと、複数の機械式スイッチを備え、複数の機械式スイッチの特定の組み合わせを同時に押した場合に限り、タッチ式キーの同時押しを許可する動作へ移行する。そして、複数の機械式スイッチの特定の組み合わせを同時に押さない場合には、タッチ式キーの同時押しを許可しない。【選択図】図４
2015231449.tif 000002
【特許請求の範囲】
【請求項１】
洗濯槽を収容する筐体に操作パネルを備え、
前記操作パネルは、
複数のタッチ式キーと、複数の機械式スイッチを備え、
複数の機械式スイッチの特定の組み合わせを同時に押した場合に限り、
タッチ式キーの同時押しを許可する動作へ移行することを特徴とする洗濯機。
【請求項２】
複数の機械式スイッチの特定の組み合わせを同時に押さない場合には、
タッチ式キーの同時押しを許可しないことを特徴とする請求項１に記載の洗濯機。
【発明の詳細な説明】
【技術分野】
【０００１】
本発明は、タッチ式キーの表示操作部を備えた洗濯機に関する。
【背景技術】
【０００２】
洗濯機の操作入力手段としては機械式スイッチを使用するものが主流であるが、タッチパネルを採用したものが導入されている。
【０００３】
操作性を確保するため、洗濯機の操作パネルは本体前面上部付近に配置するのが一般的である。このため、洗剤液を含んだ液体が操作パネルに付着しやすい。また、洗濯終了後に取り出した洗濯物を操作パネルの上に一時的に置くといった行為もよく起こり得る。
【０００４】
静電容量方式を採用したタッチパネルにおいては、パネル表面に付着した洗剤液等の液体が付着したり、物を置かれたりすると、タッチ入力として誤検知され、誤動作の原因となるおそれがある。
【０００５】
これに対して、機械式スイッチは前述のような入力誤検知のおそれは少ないが、タッチパネルを採用した機種においては、搭載できる機械式スイッチの数が限られてしまうのが一般的である。
【０００６】
以上のようなタッチパネルを採用した洗濯機における誤動作を防止するために特許文献１のような考案がなされている。
【先行技術文献】
【特許文献】
【０００７】
【特許文献１】特開２０１４−１４５８６号公報
【発明の概要】
【発明が解決しようとする課題】
【０００８】
特許文献１では、タッチパネルとは別に設けた機械式スイッチを操作入力することによって運転開始を指示することにより、誤動作による運転を防止している。
【０００９】
ところで、洗濯機には、一般の利用者が使用する通常モードの他に、保守員が使用するサービスモードが設けられているが、このようなサービスモードでは単一キー入力ではなく、複数キーの同時押しで機能を起動するようになっている場合が多い。これは、一般の利用者が不用意に保守用機能であるサービスモードを誤操作するのを防止するためである。
【００１０】
しかしながら、特許文献１では、タッチパネル上の複数のキーの同時押しの誤検知を防止することは考慮されていない。
【００１１】
本発明は、通常モードではタッチ式キー入力誤検知を防止すると共に、特定条件が成立した場合に限りサービスモードを動作可能とする洗濯機を提供することを目的とする。
【課題を解決するための手段】
【００１２】
本発明は、洗濯槽を収容する筐体に操作パネルを備え、前記操作パネルは、複数のタッチ式キーと、複数の機械式スイッチを備え、複数の機械式スイッチの特定の組み合わせを同時に押した場合に限り、タッチ式キーの同時押しを許可する動作へ移行することを特徴とする。
【発明の効果】
【００１３】
本発明によれば、通常モードでは複数のタッチ式キーの同時押しを禁止することによりのタッチ式キー入力誤検知を防止すると共に、複数のタッチ式キーの同時押しを許可する手段を設けることにより、特定条件が成立した場合に限り複数キーの同時押しを必要とするサービスモードを動作可能とする。
【図面の簡単な説明】
【００１４】
【図１】本発明の実施形態に係る洗濯機を示す外観斜視図である。
【図２】本発明の実施形態に係る操作パネルを示す平面図である。
【図３】本発明の実施形態に係る制御部のブロック図である。
【図４】本発明の実施形態に係る同時押し許可判定処理を示すフローチャートである。
【発明を実施するための形態】
【００１５】
以下、本発明を実施するための形態（以下「実施形態」という）について、適宜図面を参照しながら詳細に説明する。なお、以下では、縦型の洗濯、すすぎ、脱水、乾燥を行うことができる洗濯機（いわゆる、縦型の洗濯乾燥機）を例に挙げて説明するが、ドラム式の洗濯、すすぎ、脱水、乾燥を行うことができる洗濯機（いわゆる、ドラム式の洗濯乾燥機）や、縦型の洗濯、すすぎ、脱水を行うことができる洗濯機（いわゆる、全自動洗濯機）など各種様々な洗濯機に適用することができる。
【００１６】
図１は、本発明の実施形態の洗濯機を示す外観斜視図である。
なお、以下では、洗濯機１００を正面から見たときの方向を基準として説明する。
【００１７】
図１に示すように、洗濯機１００は、筺体１１０と、この筺体１１０内に備える洗濯槽１２０とを含んで構成されている。
【００１８】
筺体１１０は、外郭が鋼板と樹脂成型品とを組み合わせて構成されたものであり、全体を支持するベース１１１と、前板１１２と、後板１１３と、左右の側板１１４と、トップカバー１１５（上板）と、を備えて略四角箱状に構成されている。
【００１９】
トップカバー１１５には、洗濯槽１２０内に洗濯物を投入するための開口１１５ａが形成されている。この開口１１５ａは、上面視（平面視）において略半円状に形成され、直線部分が奥側に位置し、曲線部分が手前側に位置するように構成されている。また、開口１１５ａは、径方向外側に延びる上端面１１５ｂと、鉛直方向下方に延びる周面１１５ｃとを有している。
【００２０】
また、トップカバー１１５の手前側には、運転コースの設定や運転状態の表示などを行う操作パネル１１６と、洗剤（固形、液体）や仕上剤などを投入するための洗剤類投入ケース１１７と、が設けられている。操作パネル１１６は、開口１１５ａの手前側において横長四角状に形成されている。洗剤類投入ケース１１７は、操作パネル１１６の左側に隣接して設けられている。
【００２１】
操作パネル１１６は、機械式スイッチ２０１〜２０３およびタッチ式キー２０４〜２１７から構成される各種操作ボタンや表示器２２０を備え、筺体１１０内側に設けられた制御部３１６のマイクロコンピュータ３８１（以下、マイコンと略記する。図３参照）と電気的に接続されている。
【００２２】
洗剤類投入ケース１１７は、上面視（平面視）において略三角形状に形成され、容器部１１８（図７参照）と蓋部１１９とを備えて構成されている。蓋部１１９は、操作パネル１１６の表面１１６ａに隣接する平面視四角形状の表面１１９ａ（第２の面）と、表面１１９ａの後方に位置する平面視略三角形状の表面１１９ｂと、を有している。また、表面１１９ｂの高さは、表面１１９ａよりも低く形成されている。
【００２３】
また、操作パネル１１６の表面１１６ａと蓋部１１９の一部である表面１１９ａとは、面一となり、全体として左右方向に細長い四角形状の平坦な面となるように構成されている。また、蓋部１１９の表面１１９ｂは、開口１１５ａの上端面１１５ｂおよび周面１１５ｃと面一となるように構成されている。
【００２４】
また、トップカバー１１５には、開口１１５ａを開閉する外蓋１３０（蓋体）が設けられている。この外蓋１３０は、一枚ものの板材を含んで略四角形状に構成され、開口１１５ａの全体を上方から覆うことができる表面積（平面）を有している。また、外蓋１３０の後端は、左右方向を軸方向として回動自在に支持されている。このように、本実施形態の外蓋１３０は、山型に折れ曲がりながら開く二つ折りタイプの外蓋ではない。
【００２５】
また、トップカバー１１５は、開口１１５ａの左右両側部に前後方向に延在する縁部１１５ｄ、１１５ｄ（第１の面）を有している。この縁部１１５ｄと縁部１１５ｄとの間の距離Ｌ１は、外蓋１３０の横幅（左右方向の長さ）Ｗ１よりも短く形成されている。
【００２６】
また、操作パネル１１６の表面１１６ａ（第２の面）および蓋部１１９の表面１１９ａ（第２の面）は、縁部１１５ｄ、１１５ｄ（第１の面）よりも低い位置（鉛直方向の下方の位置）に形成されている。すなわち、第２の面の高さは、トップカバー１１５の開口１１５ａの上端縁部と略同じ高さ、換言すると第１の面からユーザの手の厚み分低い位置に設定される。
【００２７】
また、洗濯機１００では、外蓋１３０を閉じたときに、操作パネル１１６のほぼ全体と、洗剤類投入ケース１１７の蓋部１１９の表面１１９ａ（表面の一部）が露出するように構成されている。これにより、外蓋１３０を閉じたときに、操作パネル１１６による操作が損なわれるのを防止することができる。また、洗剤類投入ケース１１７を洗濯機１００の手前に配置できるので、洗剤類を投入し易くなる。また、開口１１５ａに邪魔されることなく、洗剤類投入ケース１１７の洗剤や柔軟剤の投入室を広く確保することができる。
【００２８】
図２は、操作パネルを示す平面図である。
【００２９】
図２に示すように、操作パネル１１６は、操作部２００、表示部２３０を備える。操作部２００は、機械式（押下げ式）スイッチ２０２〜２０３、電源スイッチ２０１、タッチ式キー２０４〜２１７から構成される。
【００３０】
操作部２００は、機械式スイッチ２０２〜２０３、電源スイッチ２０１、タッチ式キー２０４〜２１７から構成され、例えば、動作条件の設定を行うものである。なお、動作条件の設定とは、洗濯のみを行う洗濯コース、洗濯から乾燥までを通して行う洗濯／乾燥コース、乾燥のみを行う乾燥コースなどの運転コースの設定や、洗濯時の洗い時間、すすぎ回数、脱水時間、脱水時または乾燥時の乾き具合、予約時間などの各運転コースにおける詳細な条件設定などである。
【００３１】
表示部２３０は、操作部２００によって設定された機能や時間等の条件、運転の残り時間を発光ダイオードの点灯により表示する。
【００３２】
図３は本実施形態の洗濯機の制御部３１６のブロック図である。３８１はマイクロコンピュータで、図示しない各機械式スイッチに接続される機械式スイッチ入力回路３８２、各タッチ式キーに接続されるタッチ式キー入力回路３８８や水位センサ３２７、温度センサ３４０と接続され、使用者のボタン操作や洗濯工程、乾燥工程での各種情報信号を受ける。マイクロコンピュータ３８１からの出力は、駆動回路３８３に接続され、給水電磁弁３１７、排水弁３４５、駆動モータ３２４、送風ファン３３７、ヒータ３３８、電磁操作クラッチ３２５、ロック手段３０９などに接続され、これらの開閉や回転、通電を制御する。また、使用者に洗濯機の動作状態を知らせるための例えば７セグメント発光ダイオードのような表示器３８４やブザー３８５、発光ダイオード３８７に接続される。前記マイクロコンピュータ３８１は、電源スイッチ２０１が押されて電源が投入されると起動し、図４に示す同時押し許可判定処理を実行する。
【００３３】
図４は、本実施形態に係る同時押し許可判定処理を示すフローチャートである。
【００３４】
ステップＳ４０１  電源が投入され起動した直後に、電源スイッチと同時に特定の機械式スイッチが押されているかを判定し、条件が成立する場合はＳ４０２へ、成立しない場合はＳ４０３へ進む。すなわち、電源投入時に電源スイッチと特定の機械式スイッチが同時押しされていることを、タッチ式キー同時押しを許可する条件とする。ここで、特定の機械式スイッチとは、例えば、図２の機械式スイッチ２０３である。
【００３５】
ステップＳ４０２  タッチ式キーの複数同時押しを許可する設定としてＳ４０４へ進む。
【００３６】
ステップＳ４０３  タッチ式キーの複数同時押しを許可しない設定としてＳ４０４へ進む。
【００３７】
ステップＳ４０４  操作のためのキー入力を待ち、入力があればＳ４０５へ進む。
【００３８】
ステップＳ４０５  キー入力について、複数のタッチ式キーが同時押しされているか判定し、条件が成立する場合はＳ４０６へ、成立しない場合はＳ４０８へ進む。
【００３９】
ステップＳ４０６  タッチ式キーの複数同時押しを許可する設定かを判定し、条件が成立する場合はＳ４０７へ進み、成立しない場合はＳ４０４へ戻ってキー入力待ちとなる。
【００４０】
ステップＳ４０７  タッチ式キーの複数同時押しを許可されているので、対応する処理を起動する。
【００４１】
ステップＳ４０８  タッチ式キーの単一押しに対応する処理を起動する。
【００４２】
ステップＳ４０９  電源ＯＦＦの条件か判定し、条件が成立する場合は電源ＯＦＦする。成立しない場合は  ステップＳ４０８  タッチ式キーの単一押しに対応する処理を起動する。
【００４３】
以上のようにして、通常モードでは複数のタッチ式キーの同時押しを禁止することによりのタッチ式キー入力誤検知を防止すると共に、複数のタッチ式キーの同時押しを許可する手段を設けることにより、特定条件が成立した場合に限り複数キーの同時押しを必要とするサービスモードを動作可能とすることができる。
【００４４】
本実施形態では、縦型の洗濯機における例を挙げたが、ドラム式洗濯機に対しても同様に適用することが可能である。
【００４５】
本実施形態では、サービスモードとして複数のタッチ式キーの同時押しが必要な例を挙げたが、サービスモード操作が単一キー押しでも同様に適用することができる。
【００４６】
本実施形態では、複数のタッチ式キーの同時押しを許可する条件として、電源投入時に電源スイッチと他の特定の機械式スイッチを同時押しする例を挙げたが、電源投入後に特定の２個の機械式スイッチを同時押しするような構成としてもよい。
【符号の説明】
【００４７】
１００  洗濯機
１１０  筺体
１１５  トップカバー（上板）
１１５ａ  開口
１１５ｄ  縁部（第１の面）
１１６  操作パネル
１１６ａ  表面（第２の面）
１１７  洗剤類投入ケース
１１８  容器部
１１９ａ  表面（第２の面）
１２０  洗濯槽
１３０  外蓋（蓋体）
１４０  ガラス板
１５０  ベース板
１６０  取っ手
２００  操作部
２３０  表示部
２０１〜２０３  機械式スイッチ
２０４〜２１７  タッチ式キー
３１６  制御部
【図１】
2015231449.tif 000003
【図２】
2015231449.tif 000004
【図３】
2015231449.tif 000005
【図４】
2015231449.tif 000006